(57)【特許請求の範囲】
【請求項１】
透明の円形部分を有するドアカバーと、
上記ドアカバーと係合するドア枠部材と、
上記ドアカバーと上記ドア枠部材に挟まれて配置された飾り部材と、を有するドア構造体を備え、
上記飾り部材は、上記透明の円形部分より後ろ側で、かつ正面から視認できるように、上記ドアカバーの円形部分の外周縁に沿って環状に延在すると共に、
上記ドア枠部材は、外周部の前面側に形成された環状畝部を有し、
上記飾り部材は、外側に露出する面を有する基部と、上記基部から径方向内側に延びて、上記ドアカバーと上記ドア枠部材に挟まれる被挟持部と、上記ドア枠部材の上記環状畝部に嵌合する溝状凹部とを有することを特徴とするドラム式洗濯機。
【請求項２】
請求項１に記載のドラム式洗濯機において、
上記飾り部材は、弾性部材であることを特徴とするドラム式洗濯機。
【請求項３】
請求項１または２に記載のドラム式洗濯機において、
上記ドアカバーは、円形状の本体部と、上記本体部の外周部の後面側に周方向に間隔をあけて立設された複数のリブまたは上記本体部の外周部の後面側に立設された環状リブを有し、
上記複数のリブの肉厚または上記環状リブの肉厚は、上記本体部の肉厚の１／３０以上かつ１／３以下であることを特徴とするドラム式洗濯機。
【請求項４】
請求項１から３までのいずれか１つに記載のドラム式洗濯機において、
上記ドア枠部材は、外周部の前面側かつ上記環状畝部の内周側に、上記環状畝部に沿うように設けられた環状の溝部を有し、
上記飾り部材は、上記ドア枠部材の上記環状畝部に上記溝状凹部が嵌合した状態で、上記ドア枠部材の上記環状の溝部に挟まれたリブを有することを特徴とするドラム式洗濯機。
【発明の詳細な説明】
【技術分野】
【０００１】
この発明は、ドラム式洗濯機に関する。
【背景技術】
【０００２】
従来、ドア構造体としては、樹脂成形された環状の化粧板を装飾し、化粧板と蓋本体で蓋カバーを挟み込んで、化粧板の外周部に設けたツメによって化粧板を蓋本体に係止したものがある(例えば、特許第４５４４１０５号(特許文献１)参照)。
【先行技術文献】
【特許文献】
【０００３】
【特許文献１】特許第４５４４１０５号
【発明の概要】
【発明が解決しようとする課題】
【０００４】
ところで、上記ドア構造体では、環状の化粧板は構造上あまり細くすることができず、蓋本体の外周部分をシャープな印象のデザインにすることが困難であるという問題がある。
【０００５】
なお、このような構成のドア構造体において、化粧板の幅を細くしたとしても、ドア径と同じ大きさは必要であるため、大きな金型が必要となり、金型コストが高くつくと共に、製作に時間がかかる。また、上記ドア構造体では、化粧板が嵌合により蓋本体に取り付けられて嵌め殺しになっているため、化粧板の取り外しが容易にできず、リサイクル時の分別が困難である。
【０００６】
そこで、この発明の課題は、簡単な構成でデザイン性を向上できるドア構造体を提供することにある。
【０００７】
また、この発明の課題は、簡単な構成でデザイン性を向上できるドア構造体を備えたドラム式洗濯機を提供することにある。
【課題を解決するための手段】
【０００８】
上記課題を解決するため、この発明のドラム式洗濯機は、
透明の円形部分を有するドアカバーと、
上記ドアカバーと係合するドア枠部材と、
上記ドアカバーと上記ドア枠部材に挟まれて配置された飾り部材と、を有するドア構造体を備え、
上記飾り部材は、上記透明の円形部分より後ろ側で、かつ正面から視認できるように、上記ドアカバーの円形部分の外周縁に沿って環状に延在すると共に、
上記ドア枠部材は、外周部の前面側に形成された環状畝部を有し、
上記飾り部材は、外側に露出する面を有する基部と、上記基部から径方向内側に延びて、上記ドアカバーと上記ドア枠部材に挟まれる被挟持部と、上記ドア枠部材の上記環状畝部に嵌合する溝状凹部とを有することを特徴とする。
【０００９】
また、一実施形態のドラム式洗濯機では、
上記飾り部材は、弾性部材である。
【００１０】
また、一実施形態のドラム式洗濯機では、
上記ドアカバーは、円形状の本体部と、上記本体部の外周部の後面側に周方向に間隔をあけて立設された複数のリブまたは上記本体部の外周部の後面側に立設された環状リブを有し、
上記複数のリブの肉厚または上記環状リブの肉厚は、上記本体部の肉厚の１／３０以上かつ１／３以下である。
【００１１】
また、一実施形態のドラム式洗濯機では、
上記ドアカバーは、上記複数のリブまたは上記環状リブの後面側に設けられ、上記ドア枠部材に係合する複数の係合部を有し、
上記ドアカバーの上記複数の係合部の肉厚は、上記本体部の肉厚の１／２以上である。
【００１２】
【００１３】
また、一実施形態のドラム式洗濯機では、
上記ドア枠部材は、外周部の前面側かつ上記環状畝部の内周側に、上記環状畝部に沿うように設けられた環状の溝部を有し、
上記飾り部材は、上記ドア枠部材の上記環状畝部に上記溝状凹部が嵌合した状態で、上記ドア枠部材の上記環状の溝部に挟まれたリブを有する。
【００１４】
【発明の効果】
【００１５】
以上より明らかなように、この発明によれば、円形状のドアカバーとそのドアカバーの後面側に取り付けられた環状のドア枠部材に飾り部材が挟まれて保持され、飾り部材がドアカバーの外周縁に沿って延在することによって、簡単な構成でデザイン性を向上できるドラム式洗濯機を実現することができる。
【図面の簡単な説明】
【００１６】
【図１】図１はこの発明の第１実施形態のドラム式洗濯乾燥機の斜視図である。
【図２】図２は上記ドラム式洗濯乾燥機のドアを開けた状態の斜視図である。
【図３】図３は上記ドアの裏面図である。
【図４】図４は上記ドアの要部の分解斜視図である。
【図５】図５(a)〜(c)は上記ドアのドアカバーの裏面図と側面図と下面図である。
【図６】図６は上記ドアのドアカバーの正面図である。
【図７】図７は図６のVII−VII線から見た断面図である。
【図８】図８は図７に示す要部Ｓ１の拡大図である。
【図９】図９(a)〜(c)は上記ドアのドア枠部材の正面図と側面図と下面図である。
【図１０】図１０は図９(a)に示す要部Ｓ２の拡大図である。
【図１１】図１１は上記ドア枠部材の裏面図である。
【図１２】図１２は図９のXII−XII線から見た断面図である。
【図１３】図１３は図９のXIII−XIII線から見た断面図である。
【図１４】図１４は上記ドアの斜視図である。
【図１５】図１５は上記ドアの正面図である。
【図１６】図１６は図１５のXVI−XVI線から見た断面図である。
【図１７】図１７は図１６に示す要部Ｓ３の拡大図である。
【図１８】図１８は図１６に示す飾り部材を含む要部の説明をするための図である
【図１９】図１９は図１５のXVIII−XVIII線から見た断面図である。
【図２０】図２０は図１９に示す要部Ｓ４の拡大図である。
【図２１】図２１は図１９に示す飾り部材を含む要部の説明をするための図である
【発明を実施するための形態】
【００１７】
以下、この発明のドラム式洗濯機を図示の実施の形態により詳細に説明する。
【００１８】
〔第１実施形態〕
図１はこの発明の第１実施形態のドア構造体を備えたドラム式洗濯乾燥機の斜視図を示している。
【００１９】
この第１実施形態のドラム式洗濯乾燥機は、図１に示すように、外箱１と、開口部４(図２に示す)を開閉する略円盤状のドア２と、外箱１内に配置された洗濯槽(図示せず)と、その洗濯槽内に回転可能に配置された回転ドラム３を備える。
【００２０】
上記外箱１の前面上側に、運転動作を選択して指示入力すると共に運転状態を表示する操作パネル６を設けている。また、外箱１の天面の左後面側に給水ホース接続口７と風呂水吸水口８を設けている。また、外箱１の天面の右後面側に乾燥フィルタ装置９を装着している。また、外箱１の前面の左上側に洗剤ケース６１を装着し、外箱１の前面の左下側に糸くずフィルタ装置６２を装着している。なお、図１において、６３は排水ホース接続口である。
【００２１】
また、ドア２の外縁側に、手前に引いてドア２を開くドアハンドル１０を取り付けている。
【００２２】
図２はドラム式洗濯乾燥機のドア２を開けた状態の斜視図を示している。
【００２３】
図２に示すように、略円盤状のドア２を、ドア取付金具２０と外箱１側のヒンジ部３０を介して外箱１の開口部４に取り付けている。外箱１の開口部４の左側に設けられたヒンジ部３０は、ドア２を回動可能に支持する。なお、外箱１の開口部４の内縁側に環状の枠部材５を取り付けている。
【００２４】
また、ドア２の外縁側かつドアハンドル１０の下側に係合ツメ１１を設けている。一方、外箱１の開口部４の右側に、係合凹部４０aを有するロック機構４０を設けている。ドア２を閉めた状態で係合ツメ１１が係合凹部４０aと係合する。
【００２５】
なお、ヒンジ部３０を外箱１の開口部４の右側に設け、ロック機構４０を外箱１の開口部４の左側に設けてもよい。
【００２６】
ドア２が閉められると、ドア２の係合ツメ１１が外箱１の係合凹部４０aに係合する一方、ドア２を閉じた状態で、ドアハンドル１０が手前に引かれることによって、係合ツメ１１をドア２の中央側に向けて移動させて係合ツメ１１が係合凹部４０aから外れる。
【００２７】
また、外箱１内に配置された洗濯槽(図示せず)および回転ドラム３は、ドア２側に開口しており、ドア２を開くことにより外箱１の開口部４を介して回転ドラム３内に乾燥対象物(図示せず)を出し入れできる。また、ドア２を閉じることで、洗濯槽は水密かつ気密が保たれる。
【００２８】
また、上記ドラム式洗濯乾燥機は、外箱１内の背面側下部に配置された乾燥用のヒートポンプユニット(図示せず)と、そのヒートポンプユニットを介して洗濯槽内の空気を循環させるための循環経路を備えている。
【００２９】
上記構成のドラム式洗濯乾燥機では、操作パネル６(図１に示す)から運転コースの選択や各工程の時間設定などが入力されると、その選択情報や設定情報が入力された制御装置(図示せず)によって、例えば洗濯から乾燥までの一連の動作を実行する。
【００３０】
図３はドア２の裏面図を示している。ドア２は、図３に示すように、円形状のドアカバー２１(図４に示す)と、環状の飾り部材２２(図４に示す)と、環状のドア枠部材２３と、その環状のドア枠部材２３の内側に取り付けられた円錐台形状のガラス製の窓部材２４と、環状のドア枠部材２３の裏面側に取り付けられた環状の押さえ部材２５とを有している。ドアカバー２１は、透明樹脂を成形したものであり、ドア枠部材２３と押さえ部材２５は、樹脂を成形したものである。
【００３１】
環状のドア枠部材２３の正面視右側(図３では左側)にカバー部材２６を取り付けている。また、環状のドア枠部材２３の正面視左側(図３では右側)に接続部材２７を取り付けている。この接続部材２７には、図２に示すドア取付金具２０を介してヒンジ部３０が接続される。
【００３２】
また、ドア２は、環状のドア枠部材２３の正面視右側(図３では左側)にドアハンドル１０と係合ツメ１１を有する。図３では、係合ツメ１１は、図２に示す外箱１の係合凹部４０aに係合可能な位置に半径方向外向に突出している。
【００３３】
また、図４は上記ドア２の要部の分解斜視図を示している。図４の左側から順に、透明樹脂製の円形状のドアカバー２１、樹脂製の飾り部材２２、樹脂製の環状のドア枠部材２３、ガラス製の窓部材２４、樹脂製の押さえ部材２５が配置される。
【００３４】
図４に示すように、透明樹脂製の円形状のドアカバー２１の後面側に樹脂製の環状のドア枠部材２３を取り付けている。このドアカバー２１とドア枠部材２３に挟まれて保持された飾り部材２２が、ドアカバー２１の外周縁に沿って延在している。さらに、ドア枠部材２３と押さえ部材２５により窓部材２４を挟んで固定するように、ドア枠部材２３の後面側に押さえ部材２５を取り付けている。
【００３５】
上記ドアカバー２１とドア枠部材２３と飾り部材２２と窓部材２４と押さえ部材２５とを有するドア２は、ドア構造体の一例である。
【００３６】
上記飾り部材２２は、エラストマーを用いた押し出し成形により形成したものであり、その押し出し成形後の成形品の所定の表面に対して、金属皮膜を含むコーティングを施したものである。
【００３７】
図５(a)はドア２のドアカバー２１の裏面図を示し、図５(b)はドアカバー２１の側面図を示し、図５(c)はドアカバー２１の下面図を示している。また、図６はドアカバー２１の正面図を示している。
【００３８】
また、図７は図６のVII−VII線から見た断面図を示している。図７に示すように、ドアカバー２１は、凸球面を有する円形状の本体部２１ａと、本体部２１ａの外周部の後面側に周方向に間隔をあけて立設された複数のリブ２１ｂ,２１ｃを有している。複数のリブ２１ｂと複数のリブ２１ｃは、周方向に間隔をあけて交互に配列されている(図５(b),(c)参照)。
【００３９】
また、図８は図７に示す要部Ｓ１の拡大図を示している。図８に示すように、複数のリブ２１ｂ,２１ｃの肉厚Ｄ２は、本体部２１ａの肉厚Ｄ１(この実施形態では３ｍｍ)の１／３０以上かつ１／３以下である。また、ドアカバー２１は、複数のリブ２１ｃの後面側に設けられ、ドア枠部材２３(図４に示す)に係合する複数の係合部２１ｄを有している。この係合部２１ｄには、径方向に貫通する係合穴１０１を設けている。
【００４０】
上記ドアカバー２１の複数の係合部２１ｄの肉厚Ｄ３は、本体部２１ａの肉厚Ｄ１の１／２以上である。
【００４１】
図９(a)はドア２のドア枠部材２３の正面図を示している。図９(b)はドア枠部材２３の側面図を示している。図９(c)はドア枠部材２３の下面図を示している。図９(a)〜(c)に示すように、ドア枠部材２３は、環状の枠本体部２３ａと、枠本体部２３ａから後面側に向かって延びる環状リブ２３ｂを有している。
【００４２】
また、図１０は図９(a)に示す要部Ｓ２の拡大図を示している。ドア枠部材２３の環状の枠本体部２３ａの外周部の前面側に環状畝部１２１を形成している(図１８参照)。また、枠本体部２３ａの外周部の前面側かつ環状畝部１２１の内周側に、環状畝部１２１に沿うように環状の溝部１２２を設けている(図２１参照)。さらに、枠本体部２３ａの環状の溝部１２２の内周側に、周方向に間隔をあけて複数の貫通穴１２３を設けている。その貫通穴１２３内の外側壁面から径方向内側に向かって突出する係合ツメ１２４を設けている(図１８参照)。
【００４３】
また、図１１はドア枠部材２３の裏面図を示している。図１１において、図９(a)〜(c)および図１０と同一の構成部には、同一参照番号を付している。
【００４４】
図１２は図９のXII−XII線から見た断面図を示しており、図１３は図９のXIII−XIII線から見た断面図を示している。
【００４５】
次に、図１４はドア２の全体斜視図を示しており、図１５はドア２の正面図を示している。図１４,図１５に示すように、円形状のドアカバー２１と飾り部材２２とドア枠部材２３と窓部材２４と押さえ部材２５(図１６,図１９に示す)が組み立てられ、ドア枠部材２３の裏面側にドアハンドル１０を取り付けている。
【００４６】
また、図１６は図１５のXVI−XVI線から見た断面図を示しており、図１７は図１６に示す要部Ｓ３の拡大図を示している。図１６,図１７において、図４と同一の構成部には同一参照番号を付している。
【００４７】
図１８は図１６に示す飾り部材２２を含む要部の説明をするための図を示している。図１８では、ドアカバー２１と飾り部材２２とドア枠部材２３の要部の断面のみを示している。
【００４８】
図１８に示すように、飾り部材２２は、断面略台形状の基部２２ａと、基部２２ａから径方向内側(図中上側)に延びて、ドアカバー２１とドア枠部材２３に挟まれる被挟持部２２ｂと、被挟持部２２ｂの先端側から後面側に向かって屈曲して延びるリブ２２ｃとを有する。このような断面形状を有する飾り部材２２は、ドアカバー２１の外周の長さと略同一の長さの紐形状をしている。上記断面略台形状の基部２２ａの底辺側の面(組立時に外側に露出する面)が、金属皮膜を含むコーティングを施した装飾面となる。
【００４９】
上記断面略台形状の基部２２ａと被挟持部２２ｂとリブ２２ｃで溝状凹部１３１を形成している。
【００５０】
ドアカバー２１と飾り部材２２とドア枠部材２３の組立時に、まず、ドア枠部材２３の環状畝部１２１に飾り部材２２の溝状凹部１３１が嵌め込まれる。これにより、ドアカバー２１とドア枠部材２３により飾り部材２２を挟み込む前に、飾り部材２２をドア枠部材２３に位置決めすることが可能になる。
【００５１】
そして、ドアカバー２１の複数のリブ２１ｃの後縁から後面側に向かって延びるように設けられた複数の係合部２１ｄの係合穴１０１とドア枠部材２３の係合ツメ１２４が係合する(図１７参照)。
【００５２】
図１９は図１５のXIX−XIX線から見た断面図を示しており、図２０は図１９に示す要部Ｓ４の拡大図を示している。図１９,図２０において、図４と同一の構成部には同一参照番号を付している。
【００５３】
図２１は図１９に示す飾り部材２２を含む要部の説明をするための図を示している。図２１では、ドアカバー２１と飾り部材２２とドア枠部材２３の要部の断面のみを示している。
【００５４】
図２１に示すように、組立時に、まず、図１８で説明した様にドア枠部材２３の環状畝部１２１に飾り部材２２の溝状凹部１３１が嵌め込まれると、同時に、飾り部材２２のリブ２２ｃがドア枠部材２３の環状の溝部１２２に挟まれて、ドア枠部材２３に飾り部材２２が保持される(図２０参照)。これにより、ドア枠部材２３にドアカバー２１を取り付けるときに、飾り部材２２がドア枠部材２３に保持されてずれたりしないので、組み立ての作業性がさらに向上する。
【００５５】
図１７,図２０に示すように、ドアカバー２１とドア枠部材２３の環状畝部１２１に飾り部材２２の被挟持部２２ｂが挟まれた状態で、飾り部材２２の被挟持部２２ｂの先端側から屈曲して延びるリブ２２ｃを設けることよって、飾り部材２２の被挟持部２２ｂがドアカバー２１とドア枠部材２３の環状畝部１２１の間から径方向外側に抜けるのを確実に防止できる。
【００５６】
上記構成のドア構造体によれば、円形状のドアカバー２１とそのドアカバー２１の後面側に取り付けられた環状のドア枠部材２３に飾り部材２２が挟まれて保持され、飾り部材２２がドアカバー２１の外周縁に沿って延在することによって、飾り部材２２の幅をより細くしてシャープな印象のデザインにすることが容易にでき、簡単な構成でデザイン性を向上できる。また、飾り部材２２がドアカバー２１とドア枠部材２３に挟まれて保持されているだけなので、組立や分解の作業性が向上する。
【００５７】
また、上記飾り部材２２が弾性部材であるので、押し出し成形により飾り部材２２を製作することが可能となる。したがって、飾り部材２２の金型を最小限にでき、金型の製作コストを低減できると共に、金型も含めた飾り部材２２の製作時間を短縮できる。
【００５８】
また、上記ドアカバー２１の円形状の本体部２１ａの外周部の後面側に周方向に間隔をあけて立設された複数のリブ２１ｂ,２１ｃによって、本体部２１ａを補強すると共に、ドアカバー２１の後面側へのドア枠部材２３の取り付けに利用できる。この複数のリブ２１ｂ,２１ｃの肉厚を本体部２１ａの肉厚の１／３０以上かつ１／３以下とすることにより、ドアカバー２１が透明のものであっても、ドアカバー２１とドア枠部材２３との係合部分が目立ちにくく、デザイン性がより向上する。
【００５９】
上記ドアカバー２１の複数のリブ２１ｂ,２１ｃの肉厚が本体部２１ａの肉厚の１／３０以上であれば、十分な強度が得られる。なお、複数のリブ２１ｂ,２１ｃの肉厚が本体部２１ａの肉厚の１／３を越えると、ドアカバー２１が透明のものでは複数のリブ２１ｂ,２１ｃが目立ちにやすくなり、デザイン性が悪くなる。
【００６０】
また、上記ドアカバー２１の複数のリブ２１ｂ,２１ｃの後面側に設けられた複数の係合部２１ｄがドア枠部材２３に係合する。このドアカバー２１の複数の係合部２１ｄの肉厚を本体部２１ａの肉厚の１／２以上とすることにより、ドアカバー２１とドア枠部材２３との取り付け強度を確保できる。
【００６１】
また、上記ドア枠部材２３の外周部の前面側に形成された環状畝部１２１に、飾り部材２２の溝状凹部１３１が嵌合するので、ドアカバー２１とドア枠部材２３により飾り部材２２を挟み込む前に、飾り部材２２をドア枠部材２３に位置決めすることが可能になる。これにより、飾り部材２２が位置決めされたドア枠部材２３に対してドアカバー２１を取り付けることが容易にでき、組み立ての作業性がより向上する。
【００６２】
また、上記ドア枠部材２３の外周部の前面側かつ環状畝部１２１の内周側に、環状畝部１２１に沿うように環状の溝部１２２を設け、ドア枠部材２３の環状畝部１２１に飾り部材２２の溝状凹部１３１が嵌合した状態で、飾り部材２２のリブ２２ｃがドア枠部材２３の環状の溝部１２２に挟まれて、ドア枠部材２３に飾り部材２２が保持される。これにより、ドア枠部材２３にドアカバー２１を取り付けるときに、飾り部材２２がドア枠部材２３に保持されてずれたりしないので、組み立ての作業性がさらに向上する。
【００６３】
また、上記構成のドラム式洗濯乾燥機によれば、簡単な構成でデザイン性を向上できるドア構造体を備えることによって、デザイン性のよいドラム式洗濯乾燥機を実現することができる。
【００６４】
〔第２実施形態〕
この発明の第２実施形態のドア構造体を備えたドラム式洗濯乾燥機は、ドアカバーを除いて第１実施形態のドア構造体を備えたドラム式洗濯乾燥機と同一の構成をしている。
【００６５】
第１実施形態のドア構造体を備えたドラム式洗濯乾燥機では、本体部２１ａの外周部の複数のリブ２１ｂと複数のリブ２１ｃが周方向に間隔をあけて交互に配列されたドアカバー２１を備えていたのに対して、この第２実施形態のドア構造体を備えたドラム式洗濯乾燥機では、円形状の本体部の外周部の後面側に全周に渡って環状リブが立設されたドアカバーを備えている。
【００６６】
上記第２実施形態のドア構造体を備えたドラム式洗濯乾燥機は、第１実施形態のドア構造体を備えたドラム式洗濯乾燥機と同様の効果を有する。
【００６７】
〔第３実施形態〕
この発明の第３実施形態のドア構造体を備えたドラム式洗濯乾燥機は、ドアカバーをドア枠部材に取り付ける構成を除いて第１実施形態のドア構造体を備えたドラム式洗濯乾燥機と同一の構成をしている。
【００６８】
第１実施形態のドア構造体を備えたドラム式洗濯乾燥機では、図１７に示すように、ドアカバー２１の複数の係合部２１ｄの係合穴１０１とドア枠部材２３の係合ツメ１２４が係合することにより、ドアカバー２１をドア枠部材２３に取り付けたのに対して、この第３実施形態のドア構造体を備えたドラム式洗濯乾燥機では、ドアカバーに設けたねじ穴にドア枠部材に設けた貫通穴を介してねじを螺合させることによって、ドアカバーをドア枠部材に取り付けている。
【００６９】
なお、ドアカバーをドア枠部材に取り付ける構成は、第１〜第３実施形態に限らず、他の取り付け構造であってもよい。
【００７０】
上記第３実施形態のドア構造体を備えたドラム式洗濯乾燥機は、第１実施形態のドア構造体を備えたドラム式洗濯乾燥機と同様の効果を有する。
【００７１】
上記第１〜第３実施形態では、ドアカバー２１と飾り部材２２とドア枠部材２３と窓部材２４と押さえ部材２５とを有するドア２をドア構造体として説明したが、ドア構造体はこれに限らず、ドアカバーとドア枠部材と飾り部材を備えたものであればよい。
【００７２】
また、上記第１〜第３実施形態では、ドア構造体の飾り部材２２を弾性部材により形成したが、樹脂成形などにより形成された飾り部材を備えたドア構造体にこの発明を適用してもよい。
【００７３】
上記第１〜第３実施形態では、ドア構造体を備えた洗濯機としてのドラム式洗濯乾燥機について説明したが、乾燥機能を有しないドラム式洗濯機や縦型洗濯機にこの発明を適用してもよい。また、この発明は、ドラム式洗濯乾燥機として説明したが、洗濯機能を備えない乾燥機であってもよい。
【００７４】
この発明の具体的な実施の形態について説明したが、この発明は上記第１〜第３実施形態に限定されるものではなく、この発明の範囲内で種々変更して実施することができる。
【００７５】
この発明および実施形態をまとめると、次のようになる。
【００７６】
この発明のドア構造体は、
円形状のドアカバー２１と、
上記ドアカバー２１の後面側に取り付けられた環状のドア枠部材２３と、
上記ドアカバー２１と上記ドア枠部材２３に挟まれて保持され、上記ドアカバー２１の外周縁に沿って延在する飾り部材２２と
を備えたことを特徴とする。
【００７７】
上記構成によれば、円形状のドアカバー２１とそのドアカバー２１の後面側に取り付けられた環状のドア枠部材２３に飾り部材２２が挟まれて保持され、飾り部材２２がドアカバー２１の外周縁に沿って延在することによって、飾り部材２２の幅をより細くしてシャープな印象のデザインにすることが容易にでき、簡単な構成でデザイン性を向上できる。また、飾り部材２２がドアカバー２１とドア枠部材２３に挟まれて保持されているだけなので、組立や分解の作業性が向上する。
【００７８】
また、一実施形態のドア構造体では、
上記飾り部材２２は、弾性部材である。
【００７９】
上記実施形態によれば、飾り部材２２が弾性部材であるので、押し出し成形により飾り部材２２を製作することが可能となる。したがって、飾り部材２２の金型を最小限にでき、金型の製作コストを低減できると共に、金型も含めた飾り部材２２の製作時間を短縮できる。
【００８０】
また、一実施形態のドア構造体では、
上記ドアカバー２１は、円形状の本体部２１ａと、上記本体部２１ａの外周部の後面側に周方向に間隔をあけて立設された複数のリブ２１ｂ,２１ｃまたは上記本体部２１ａの外周部の後面側に立設された環状リブを有し、
上記複数のリブ２１ｂ,２１ｃの肉厚または上記環状リブの肉厚は、上記本体部２１ａの肉厚の１／３０以上かつ１／３以下である。
【００８１】
上記実施形態によれば、ドアカバー２１の円形状の本体部２１ａの外周部の後面側に周方向に間隔をあけて立設された複数のリブ２１ｂ,２１ｃ(または本体部２１ａの後面側に立設された環状リブ)によって、本体部２１ａを補強すると共に、ドアカバー２１の後面側へのドア枠部材２３の取り付けに利用できる。この複数のリブ２１ｂ,２１ｃ(または環状リブ)の肉厚を本体部２１ａの肉厚の１／３０以上かつ１／３以下とすることにより、ドアカバー２１が透明のものであっても、ドアカバー２１とドア枠部材２３との係合部分が目立ちにくく、デザイン性がより向上する。
【００８２】
上記ドアカバー２１の複数のリブ２１ｂ,２１ｃ(または環状リブ)の肉厚が本体部２１ａの肉厚の１／３０以上であれば、十分な強度が得られる。一方、複数のリブ２１ｂ,２１ｃ(または環状リブ)の肉厚が本体部２１ａの肉厚の１／３を越えると、ドアカバー２１が透明のものでは複数のリブ２１ｂ,２１ｃ(または環状リブ)が目立ちにやすくなり、デザイン性が悪くなる。
【００８３】
また、一実施形態のドア構造体では、
上記ドアカバー２１は、上記複数のリブ２１ｂ,２１ｃまたは上記環状リブの後面側に設けられ、上記ドア枠部材２３に係合する複数の係合部２１ｄを有し、
上記ドアカバー２１の上記複数の係合部２１ｄの肉厚は、上記本体部２１ａの肉厚の１／２以上である。
【００８４】
上記実施形態によれば、ドアカバー２１の複数のリブ２１ｂ,２１ｃ(または環状リブ)の後縁から後面側に向かって延びるように設けられた複数の係合部２１ｄがドア枠部材２３に係合する。このドアカバー２１の複数の係合部２１ｄの肉厚を本体部２１ａの肉厚の１／２以上とすることにより、ドアカバー２１とドア枠部材２３との取り付け強度を確保できる。
【００８５】
また、一実施形態のドア構造体では、
上記ドア枠部材２３は、外周部の前面側に形成された環状畝部１２１を有し、
上記飾り部材２２は、上記ドア枠部材２３の上記環状畝部１２１に嵌合する溝状凹部１３１を有する。
【００８６】
上記実施形態によれば、ドア枠部材２３の外周部の前面側に形成された環状畝部１２１に、飾り部材２２の溝状凹部１３１が嵌合するので、ドアカバー２１とドア枠部材２３により飾り部材２２を挟み込む前に、飾り部材２２をドア枠部材２３に位置決めすることが可能になる。これにより、飾り部材２２が位置決めされたドア枠部材２３に対してドアカバー２１を取り付けることが容易にでき、組み立ての作業性がより向上する。
【００８７】
また、一実施形態のドア構造体では、
上記ドア枠部材２３は、外周部の前面側かつ上記環状畝部１２１の内周側に、上記環状畝部１２１に沿うように設けられた環状の溝部１２２を有し、
上記飾り部材２２は、上記ドア枠部材２３の上記環状畝部１２１に上記溝状凹部１３１が嵌合した状態で、上記ドア枠部材２３の上記環状の溝部１２２に挟まれたリブ２２ｃを有する。
【００８８】
上記実施形態によれば、ドア枠部材２３の外周部の前面側かつ環状畝部１２１の内周側に、環状畝部１２１に沿うように環状の溝部１２２を設け、ドア枠部材２３の環状畝部１２１に飾り部材２２の溝状凹部１３１が嵌合した状態で、飾り部材２２のリブ２２ｃがドア枠部材２３の環状の溝部１２２に挟まれて、ドア枠部材２３に飾り部材２２が保持される。これにより、ドア枠部材２３にドアカバー２１を取り付けるときに、飾り部材２２がドア枠部材２３に保持されてずれたりしないので、組み立ての作業性がさらに向上する。
【００８９】
また、この発明の洗濯機では、
上記のいずれか１つのドア構造体を備えたことを特徴とする。
【００９０】
上記構成によれば、簡単な構成でデザイン性を向上できるドア構造体を備えることによって、デザイン性のよい洗濯機を実現できる。
【符号の説明】
【００９１】
１…外箱
２…ドア
３…回転ドラム
４…開口部
５…枠部材
６…操作パネル
７…給水ホース接続口
８…風呂水吸水口
９…乾燥フィルタ装置
１０…ドアハンドル
１１…係合ツメ
２０…ドア取付金具
２１…ドアカバー
２１ａ…本体部
２１ｂ,２１ｃ…複数のリブ
２１ｄ…係合部
２２…飾り部材
２２ａ…基部
２２ｂ…被挟持部
２２ｃ…リブ
２３…ドア枠部材
２３ａ…枠本体部
２３ｂ…環状リブ
２４…窓部材
２５…押さえ部材
２６…カバー部材
２７…接続部材
３０…ヒンジ部
４０…ロック機構
４０a…係合凹部
６１…洗剤ケース
６２…糸くずフィルタ装置
６３…排水ホース接続口
１０１…係合穴
１２１…環状畝部
１２２…環状の溝部
１２３…貫通穴
１２４…係合ツメ
１３１…溝状凹部
【図１】
0006318051.tif 000002
【図２】
0006318051.tif 000003
【図３】
0006318051.tif 000004
【図４】
0006318051.tif 000005
【図５】
0006318051.tif 000006
【図６】
0006318051.tif 000007
【図７】
0006318051.tif 000008
【図８】
0006318051.tif 000009
【図９】
0006318051.tif 000010
【図１０】
0006318051.tif 000011
【図１１】
0006318051.tif 000012
【図１２】
0006318051.tif 000013
【図１３】
0006318051.tif 000014
【図１４】
0006318051.tif 000015
【図１５】
0006318051.tif 000016
【図１６】
0006318051.tif 000017
【図１７】
0006318051.tif 000018
【図１８】
0006318051.tif 000019
【図１９】
0006318051.tif 000020
【図２０】
0006318051.tif 000021
【図２１】
0006318051.tif 000022